(57)【要約】【課題】輝度の均一性を高めることができる面状照明装置を提供すること。【解決手段】実施形態に係る面状照明装置は、導光板と、枠部材と、減衰部とを備える。導光板は、光取出面と、光取出面と交差する側面であって光源からの光が入射する入光側面とを有する。枠部材は、導光板の入光側面以外の側面に沿って、側面と離間して設けられる。減衰部は、入光側面以外の少なくとも一の側面側に設けられ、側面から出る光を減衰する。【選択図】図２
2018190691.tif 000002
【特許請求の範囲】
【請求項１】
光取出面と、前記光取出面と交差する側面であって光源からの光が入射する入光側面とを有する導光板と、
前記導光板の前記入光側面以外の側面に沿うとともに、前記側面と離間して設けられる枠部材と、
前記入光側面以外の少なくとも一の側面側に設けられ、当該側面から出る光を減衰する減衰部と
を備える面状照明装置。
【請求項２】
前記枠部材は、
前記入光側面以外の少なくとも一の側面に対向する側壁部と、前記側壁部における前記光取出面側の端部から、前記側壁部と前記側壁部に対向する前記導光板の側面との間まで延伸する延伸部とを有し、
前記減衰部は、
前記入光側面以外の少なくとも一の側面と前記枠部材の前記側壁部との間に設けられる
請求項１に記載の面状照明装置。
【請求項３】
前記減衰部は、
前記入光側面以外の少なくとも一の側面側に設けられる光吸収部材である
請求項１または２に記載の面状照明装置。
【請求項４】
前記枠部材は、
前記導光板の前記光取出面の裏面側に底壁部を有し、
前記減衰部は、
前記枠部材の前記底壁部に設けられる
請求項３に記載の面状照明装置。
【請求項５】
前記光取出面の裏面に沿うとともに、前記入光側面以外の少なくとも一の側面から当該側面に対向する前記枠部材の側壁部側へ突出して設けられ、前記光を反射する反射部をさらに備え、
前記減衰部は、
前記反射部の突出した部位に設けられる
請求項３に記載の面状照明装置。
【請求項６】
前記減衰部は、
前記入光側面以外の少なくとも一の側面の少なくとも一部を覆うようにして設けられる
請求項３〜５のいずれか１つに記載の面状照明装置。
【請求項７】
前記光取出面の裏面側かつ前記入光側面以外の少なくとも一の側面よりも内側に設けられ、前記光を前記導光板側へ反射する反射部をさらに備え、
前記枠部材は、
前記光取出面の裏面側に底壁部を有し、
前記減衰部は、
前記枠部材の前記底壁部のうち、前記反射部と重ならない領域である
請求項１に記載の面状照明装置。
【発明の詳細な説明】
【技術分野】
【０００１】
本発明は、面状照明装置に関する。
【背景技術】
【０００２】
従来、例えばＬＥＤ（Light  Emitting  Diode）等の光源から発せられた光が導光板を経由して出射される面状照明装置が知られている。また、例えば、導光板を収容するフレームの側壁に設けられ、導光板の端部を隠すことで光の出射領域を規定する遮光シートを用いた面状照明装置が提案されている。例えば、面状照明装置は、遮光シートの幅を狭くすることで、狭額縁化を実現する。
【先行技術文献】
【特許文献】
【０００３】
【特許文献１】特開２０１６−８５８０３号公報
【発明の概要】
【発明が解決しようとする課題】
【０００４】
しかしながら、導光板は材料の特性上、熱膨張が起きるため、フレームの側壁から一定の距離をとって収容する必要がある。このため、遮光シートの幅を狭くして狭額縁化が促進されると、導光板の端部が遮光シートによって隠れなくなり、結果、導光板の端部において輝度が極端に高くなるおそれがあった。
【０００５】
本発明は、上記に鑑みてなされたものであって、輝度の均一性を高めることができる面状照明装置を提供することを目的とする。
【課題を解決するための手段】
【０００６】
上述した課題を解決し、目的を達成するために、本発明の一態様に係る面状照明装置は、導光板と、枠部材と、減衰部とを備える。前記導光板は、光取出面と、前記光取出面と交差する側面であって光源からの光が入射する入光側面とを有する。前記枠部材は、前記導光板の前記入光側面以外の側面に沿って、前記側面と離間して設けられる。前記減衰部は、前記入光側面以外の少なくとも一の側面側に設けられ、当該側面から出る光を減衰する。
【発明の効果】
【０００７】
本発明の一態様によれば、輝度の均一性を高めることができる面状照明装置を提供することができる。
【図面の簡単な説明】
【０００８】
【図１】図１は、第１の実施形態に係る面状照明装置の上面図である。
【図２】図２は、第１の実施形態に係る面状照明装置の断面図である。
【図３】図３は、第２の実施形態に係る面状照明装置の上面図である。
【図４】図４は、第２の実施形態に係る面状照明装置の断面図である。
【図５】図５は、第３の実施形態に係る面状照明装置の断面図である。
【図６】図６は、第４の実施形態に係る面状照明装置の断面図である。
【図７Ａ】図７Ａは、遮光部のパターン構成を示す図（その１）である。
【図７Ｂ】図７Ｂは、遮光部のパターン構成を示す図（その２）である。
【図７Ｃ】図７Ｃは、遮光部のパターン構成を示す図（その３）である。
【図８】図８は、変形例に係る面状照明装置の断面図である。
【図９】図９は、変形例に係る面状照明装置の断面図である。
【図１０】図１０は、変形例に係る面状照明装置の上面図である。
【発明を実施するための形態】
【０００９】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。
【００１０】
また、以下では、図１および図２を用いて、第１の実施形態について説明し、図３および図４を用いて第２の実施形態について説明し、図５を用いて、第３の実施形態について説明し、図６〜図７Ｃを用いて、第４の実施形態について説明する。
【００１１】
まず、第１の実施形態に係る面状照明装置１の概要について、図１および図２を用いて説明する。図１は、第１の実施形態に係る面状照明装置１の上面図である。図２は、第１の実施形態に係る面状照明装置１の断面図である。図１には、説明を分かりやすくするために、面状照明装置１における導光板３の光の出射方向をＺ軸正方向とする３次元の直交座標系を図示している。かかる直交座標系は、以下の説明で用いる他の図面においても示す場合がある。また、図２では、図１のＡ−Ａ線で切断した場合の面状照明装置１の断面を示す。
【００１２】
実施形態に係る面状照明装置１は、例えば液晶表示装置のバックライトとして用いられる。また、かかる液晶表示装置は、例えば、スマートフォンや携帯電話、パーソナルコンピュータ等の電子装置の表示デバイスとして用いられる。
【００１３】
図１に示すように、実施形態に係る面状照明装置１は、光源２と、導光板３と、遮光部１０、６ｃとを備える。
【００１４】
光源２は、例えばＬＥＤ（Light  Emitting  Diode）であり、導光板３の入光側面３ａと対向する発光面２ａからＸ軸正方向側である入光側面３ａ側へ向けて光を発する。また、光源２は、複数設けられ、導光板３に沿ってＹ軸向きに並んで配置される。
【００１５】
また、光源２は、発光面２ａとは反対側の面が給電回路であるＦＰＣ（Flexible  Printed  Circuits）に接合される。すなわち、光源２は、実装されるＦＰＣが発光面２ａと略平行であるトップビュー型の光源である。なお、光源２は、トップビュー型の光源に限られず、実装されるＦＰＣが発光面２ａと直交するサイドビュー型の光源であってもよい。
【００１６】
導光板３は、例えばポリカーボネート樹脂等の透明材料で構成される平板状の部材である。また、導光板３は、入光側面３ａと、出射面３ｂと、側面３ｃと、反対面３ｄ（図２参照）とを有する。
【００１７】
入光側面３ａは、光源２の発光面２ａと対向し、光源２からの光が入射する側面である。出射面３ｂは、光の出射方向であるＺ軸正方向側の主面であり、入光側面３ａから入射された光が出射される。つまり、出射面３ｂは、光源２からの光が主として取り出される光取出面である。また、入光側面３ａと出射面３ｂ（光取出面）とは交差する位置関係にある。
【００１８】
側面３ｃは、入光側面３ａ以外の側面のうち、入光側面３ａの反対側にある側面である。なお、導光板３に入射した光は、出射面３ｂ以外に、側面３ｃからも一部出射される。反対面３ｄは、導光板３における出射面３ｂの裏面側の主面である。
【００１９】
遮光部６ｃ，１０は、例えば、シート状の部材であり、導光板３から出射される光を遮光することで、面状照明装置１の出射領域である有効エリアＲを規定する。具体的には、遮光部１０は、導光板３の入光側面３ａに沿って配置され、光源２を覆うことで、光源２の光が導光板３を経由せずに、Ｚ軸正方向である出射方向へ出射された光を遮光する。
【００２０】
遮光部６ｃは、後述するフレーム６（図２参照）から延伸する延伸部である。また、遮光部６ｃは、導光板３の側面３ｃに沿って配置される。また、遮光部６ｃは、導光板３側の端部６ｃａが側面３ｃと離間している（すなわち、上面視して、遮光部６ｃと導光板３とは重なっていない）。また、遮光部６ｃは、入光側面３ａ側の遮光部１０よりも幅が狭い。言い換えると、遮光部６ｃの幅を狭くすることで、有効エリアＲを広げることができる、つまり、狭額縁化を実現する。
【００２１】
なお、図１では、入光側面３ａの反対側にある側面３ｃと遮光部６ｃとが上面視で重なっていない場合について説明したが、入光側面３ａに隣り合う側面とかかる側面に対応する遮光部とが重なっていない場合であってもよい。つまり、入光側面３ａ以外の３つの側面のうち少なくとも１つの側面と遮光部とが重なっていなければよい。なお、かかる点の詳細については、図１０で後述する。
【００２２】
次に、図２を用いて、実施形態に係る面状照明装置１の断面構造について説明する。図２には、導光板３を経由した光の軌跡の一部を破線で示す。図２に示すように、実施形態に係る面状照明装置１は、反射部（反射シート）４と、光学シート５と、フレーム６とをさらに備える。
【００２３】
反射部４は、例えばシート状であり、導光板３の反対面３ｄに沿って設けられ、導光板３から漏れた光を反射して、再び導光板３に戻す部材である。また、反射部４は、端部４ａが側面３ｃよりも内側（図２では、Ｘ軸負方向側）に配置される。つまり、反射部４は、光取出面である出射面３ｂの裏面側かつ入光側面３ａ以外の側面３ｃよりも内側に設けられ、光を導光板３側へ反射する。
【００２４】
光学シート５は、導光板３の出射面３ｂ側に設けられ、遮光部６ｃまで延伸する部材であり、光学特性を有する。具体的には、光学シート５は、拡散シート５ａと、プリズムシート５ｂとを有する。
【００２５】
拡散シート５ａは、導光板３の出射面３ｂに積層され、出射面３ｂから出射された光を拡散する部材である。プリズムシート５ｂは、拡散シート５ａに積層され、拡散シート５ａによって拡散された光の配光制御を行って、配光制御が行われた光を出射する部材である。
【００２６】
フレーム６は、光源２と、導光板３と、反射部４と、光学シート５を収容する枠部材である。フレーム６は、例えば、金属や樹脂等の材料で構成され、剛性が高い部材である。また、フレーム６は、反射部４よりも光の反射率が低い。
【００２７】
また、図２に示すように、フレーム６は、側壁部６ａと、底壁部６ｂと、遮光部６ｃとを有する。側壁部６ａは、入光側面３ａ以外の側面３ｃに対向する部位である。底壁部６ｂは、導光板３の反対面３ｄ側に配置される部位である。
【００２８】
遮光部６ｃは、側壁部６ａにおける出射面３ｂ側の端部から、側壁部６ａと側壁部６ａに対向する導光板３の側面３ｃとの間まで延伸する延伸部である。具体的には、遮光部６ｃは、端部６ｃａが側壁部６ａからＸ軸負方向側である側面３ｃへ向けて延伸する。なお、遮光部６ｃは、フレーム６の一部として構成されてもよく、フレーム６とは別部材として構成されてもよい。
【００２９】
また、図２に示すように、枠部材であるフレーム６は、導光板３の側面３ｃとの間を一定の距離を空けて導光板３を収容する。つまり、フレーム６は、側面３ｃと離間して設けられる。これは、導光板３が材料の特性上、熱膨張を起こすことに起因している。具体的には、熱膨張を起こすと、導光板３の側面３ｃが側壁部６ａへ近づくこととなる。このため、常温時において、側壁部６ａと側面３ｃとを離しておくことで、両者の接触が防止される。
【００３０】
ところで、面状照明装置において、狭額縁化を促進させた場合に、輝度の均一性が低下するおそれがある。例えば、面状照明装置において、導光板の側面とフレームの側壁部とを離間させた場合、側面から出た光が乱反射したり、反射部で反射したりすることで、遮光部と導光板の側面との間から光が出射され、導光板の入光側面以外の側面に沿って輝度が極端に高い輝線が発生することが考えられる。このように、輝度が極端に高い輝線が発生することで、結果、輝度の均一性が低下するおそれがある。
【００３１】
そこで、実施形態に係る面状照明装置１は、導光板３の入光側面３ａ以外の側面の少なくとも一部（図２では、側面３ｃ）に設けられ、かかる側面から出る光を減衰する減衰部２０（減衰部２０ａ〜２０ｆ）を備える。つまり、実施形態に係る減衰部２０は、側面３ｃから出た光を減衰することで、輝度が極端に高くなることを防止し、結果、輝線の発生が抑えられる。したがって、実施形態に係る面状照明装置１によれば、輝度の均一性を高めることができる。
【００３２】
以下に、減衰部２０ａ〜２０ｆについて図２〜図９を用いて説明する。なお、減衰部２０ａ〜２０ｆは、入光側面３ａの反対側の側面３ｃ側に設けられる場合に限らず、入光側面３ａ（図１参照）以外の側面側であればよいが、かかる点については、図１０を用いて後述する。
【００３３】
まず、図２を用いて、第１の実施形態に係る減衰部２０ａについて説明する。ここで、上述したように、反射部４は、側面３ｃよりも内側に設けられる。そして、図２に示すように、第１の実施形態に係る減衰部２０ａは、フレーム６の底壁部６ｂとして構成される。具体的には、減衰部２０ａは、枠部材であるフレーム６の底壁部６ｂのうち、反射部４と重ならない領域である。
【００３４】
より具体的には、減衰部２０ａは、反射部４の端部４ａよりも側壁部６ａ側に配置される。つまり、導光板３の側面３ｃから出た光が反射部４ではなく、底壁部６ｂによって反射される。言い換えると、減衰部２０ａである底壁部６ｂは、反射部４よりも反射率が低いため、反射した光は結果として反射部４で反射する場合よりも、光が減衰される。
【００３５】
このように、減衰部２０ａをフレーム６の一部として構成することで、新たな部材を追加することなく光を減衰することができる。したがって、第１の実施形態によれば、製品コストを抑えつつ、輝度の均一性を向上させることができる。
【００３６】
次に、図３および図４を用いて、第２の実施形態について説明する。なお、図３および図４において、第１の実施形態と同一の構成については同一の符号を付して、その説明を省略する。図３は、第２の実施形態に係る面状照明装置１の上面図である。
【００３７】
第２の実施形態では、減衰部２０ｂとして、光を吸収する光吸収部材を新たに設けた点が第１の実施形態とは異なる。具体的には、図３に示すように、減衰部２０ｂは、導光板３の入光側面３ａとは反対側の側面３ｃ側に設けられる光吸収部材である。より具体的には、減衰部２０ｂは、側面３ｃ全体にわたって設けられるとともに、側面３ｃと遮光部６ｃとの間の離間した領域全体に設けられる。
【００３８】
なお、減衰部２０ｂは、導光板３の側面３ｃ全体にわたって設けられる場合に限らず、側面３ｃの一部に設けられてもよい。また、減衰部２０は、側面３ｃと端部１１ａとの間の離間した領域全体に設けられる場合に限らず、離間した領域全体のうち、一部の領域に設けられてもよい。
【００３９】
次に、図４を用いて、第２の実施形態に係る面状照明装置１の断面について説明する。図４は、第２の実施形態に係る面状照明装置１の断面図である。図４では、図３のＢ−Ｂ線で切断した場合の、面状照明装置１の断面を示す。
【００４０】
ここで、第２の実施形態に係る反射部４は、第１の実施形態と同様に、側面３ｃよりも内側に設けられる。そして、図４に示すように、減衰部２０ｂは、フレーム６の底壁部６ｂに設けられる。具体的には、減衰部２０ｂは、反対面３ｄ側に設けられるとともに、側面３ｃよりもＸ軸正方向側である側壁部６ａ側に設けられる。
【００４１】
また、減衰部２０ｂは、例えば、黒色の樹脂等の光を吸収する部材で構成することができる。なお、減衰部２０ｂは、黒色の樹脂に限定されるものではなく、反射部４よりも反射率が低ければ、任意の色や材料を用いることができる。
【００４２】
これにより、側面３ｃから出た光を吸収することで、出射面３ｂ側であるＺ軸正方向側へ出射される光を減衰できるため、輝度の均一性を高めることができる。また、図４に示すように、減衰部２０を別部材として構成する場合、用いる色や材料を変更することで、出射される光量を容易に調整することができる。
【００４３】
なお、図４では、減衰部２０ｂは、フレーム６の底壁部６ｂにのみ固定されたが、例えば、底壁部６ｂに加えて側壁部６ａに設けられてもよい。これにより、側面３ｃからＸ軸正方向側である側壁部６ａ側へ向けて出た光を減衰させることができる。
【００４４】
次に、図５を用いて、第３の実施形態について説明する。図５は、第３の実施形態に係る面状照明装置１の断面図である。第３の実施形態は、光吸収部材である減衰部２０ｃが反射部４に設けられる点で第２の実施形態とは異なる。
【００４５】
ここで、図５に示すように、反射部４は、端部４ａが側面３ｃから側壁部６ａ側へ突出している。つまり、反射部４は、反対面３ｄに沿うとともに、入光側面３ａ以外の側面３ｃから側壁部６ａへ突出している。
【００４６】
そして、第３の実施形態に係る減衰部２０ｃは、反射部４における上記の突出した部位に設けられる。具体的には、減衰部２０ｃは、突出した部位のうち、出射方向であるＺ軸正方向側に設けられる。また、第２の実施形態と同様に、減衰部２０ｃは、反射部４よりも反射率が低い光吸収部材である。
【００４７】
これにより、側面３ｃから出た光を吸収することで、出射面３ｂ側であるＺ軸正方向側へ出射される光を減衰できるため、輝度の均一性を高めることができる。
【００４８】
また、減衰部２０ｃは、光を吸収するとともに、一部の光を透過させてもよい。つまり、減衰部２０ｃは、透過させた光を反射部４で反射させる。これにより、減衰部２０ｃ以外に新たな部材を追加することなく輝度の調整を行うことができる。
【００４９】
次に、図６を用いて、第４の実施形態について説明する。図６は、第４の実施形態に係る面状照明装置１の断面図である。第４の実施形態は、光吸収部材である減衰部２０ｄで側面３ｃを直接覆う点で他の実施形態とは異なる。
【００５０】
具体的には、図６に示すように、減衰部２０ｄは、導光板３の側面３ｃに沿って設けられる。より具体的には、減衰部２０ｄは、導光板３の側面３ｃ全体を覆うようにして設けられる。これにより、導光板３の側面３ｃから出る光を減らせるため、遮光部６ｃと側面３ｃの間から出射される光を減衰することができる。
【００５１】
なお、図６に示す例では、減衰部２０ｄは、側面３ｃ全体を覆うようにして設けられたが、これに限らず、側面３ｃの一部を覆うようにしてもよい。つまり、減衰部２０ｄは、入光側面３ａ以外の側面（図６では、側面３ｃ）の少なくとも一部を覆う。ここで、かかる点について、図７Ａ〜図７Ｃを用いて説明する。
【００５２】
図７Ａ〜図７Ｃは、減衰部２０ｄのパターン構成を示す図（その１〜その３）である。図７Ａ〜図７Ｃでは、図６における減衰部２０ｄをＸ軸正方向側である側壁部６ａ側からＸ軸負方向側である側面３ｃ側を見た図を示している。なお、図７Ａ〜図７Ｃに示すパターン構成は、第４の実施形態に係る減衰部２０ｄに適用される場合に限らず、他の実施形態に係る減衰部２０（例えば、減衰部２０ｂ〜２０ｆ）に適用されてもよい。
【００５３】
図７Ａに示すように、減衰部２０ｄは、例えば、黒色部材２１と白色部材２２とが交互に入れ替わったお帯状のパターンを有する。つまり、減衰部２０ｄは、黒色部材２１によって光を吸収し、白色部材２２によって光を反射する。これにより、出射される光量を容易に調整することができる。
【００５４】
なお、黒色部材２１と白色部材２２とは、同一部材であってもよく、別部材であってもよい。黒色部材２１と白色部材２２とを同一部材として構成する場合、例えば、貼付可能なシート状部材に黒色および白色のインクを印刷して製造することができる。
【００５５】
また、黒色部材２１と白色部材２２とは、上下方向（Ｚ軸方向）に交互に入れ替わったパターンとしたが、これに限定されず、左右方向（Ｙ軸方向）に交互に入れ替わったパターンでもよく、上下方向および左右方向それぞれに交互に入れ替わったパターンであってもよい。また、黒色部材２１と白色部材２２との面積比率は、出射される光量に応じて任意に設定することができる。
【００５６】
また、減衰部２０ｄは、帯状のパターンに限定されず、図７Ｂおよび図７Ｃに示すように、ドットパターンであってもよい。具体的には、図７Ｂに示すように、減衰部２０ｄは、例えば、円形状の黒色部材２１をドット状に配置してもよい。なお、図７Ｂに示す例では、減衰部２０ｄは、各黒色部材２１を円形状で示したが、例えば、矩形状や三角形状などの任意の形状にすることができる。
【００５７】
また、図７Ｃに示すように、減衰部２０ｄは、黒色部材２１に加えて白色部材２２をドット状に配置してもよい。具体的には、減衰部２０ｄは、隣り合うドットの間隔が揃うように黒色部材２１および白色部材２２を配置するとともに、各ドットの大きさを揃える。これにより、減衰部２０ｄで反射する光が不均一になることを防止できる。また、黒色部材２１と白色部材２２との面積比率は、出射される光量に応じて任意に設定することができる。
【００５８】
なお、図７Ｃでは、減衰部２０ｄは、隣り合うドットの間隔が揃うように黒色部材２１および白色部材２２を配置したが、隣り合うドットの間隔が不均等であってもよい。また、各ドットの大きさを必ずしも揃える必要はなく、不均一であってもよい。
【００５９】
また、減衰部２０ｄは、図７Ａ〜図７Ｃに示したパターンに限定されるものではなく、側面３ｃから出た光を一部吸収して、一部を反射するパターンであればよい。
【００６０】
また、減衰部２０は、上記した第１〜第４の実施形態に限らず、側面３ｃから出た光を減衰できればよい。ここで、図８および図９を用いて、減衰部２０の他の例について説明する。
【００６１】
図８および図９は、変形例に係る面状照明装置１の断面図である。図８に示すように、減衰部２０ｅは、導光板３の出射面３ｂ側に設けられる。より具体的には、減衰部２０ｅは、拡散シート５ａのＺ軸負方向側である反射部４側に設けられる。
【００６２】
つまり、減衰部２０ｅは、側面３ｃから出る際に乱反射して様々な方向に光が出ることを考慮している。言い換えると、減衰部２０ｅは、出射面３ｂ側の近くで光を減衰するため、出射面３ｂから出る光量を安定させることができる。
【００６３】
なお、図８に示す例では、減衰部２０ｅは、拡散シート５ａの反射部４側に設けられたが、例えば、拡散シート５ａとプリズムシート５ｂとの間に設けられてもよく、プリズムシート５ｂの出射方向側（Ｚ軸正方向側）に設けられてもよい。なお、減衰部２０ｅは、拡散シート５ａやプリズムシート５ｂの表面に印刷等により直接設けてもよい。
【００６４】
また、図９に示すように、減衰部２０ｆを傾斜させてもよい。具体的には、図９に示すように、減衰部２０ｆは、基台２０ｆａの傾斜面に設けられる。基台２０ｆａは、側面３ｃから見て上り傾斜となる傾斜面を有する。
【００６５】
これにより、側面３ｃから出た光がフレーム６の側壁部６ａや底壁部６ｂ等に反射して吸収されないため、光のロスを最小限に抑えることができるとともに、側面３ｃから出た光の一部を吸収するとともに残余の光を出射面３ｂ側へ反射するため、光量の調整を容易に行うことができる。
【００６６】
なお、上記した実施形態では、遮光部６ｃが入光側面３ａの反対側の側面３ｃ側のみに設けられる場合について説明したが、遮光部６ｃは、入光側面３ａ以外の側面であればよい。かかる点について、図１０を用いて説明する。
【００６７】
図１０は、変形例に係る面状照明装置１の上面図である。図１０に示すように、遮光部６ｃ，６ｄ，６ｅは、導光板３の入光側面３ａ以外の側面３ｃ，３ｅ，３ｆに設けられる。具体的には、遮光部６ｃは、上記したように、入光側面３ａの反対側の側面３ｃ側に設けられる。遮光部６ｄ，６ｅは、入光側面３ａと隣り合う側面３ｅ，３ｆ側に設けられる。
【００６８】
また、各遮光部６ｃ，６ｄ，６ｅの端部６ｃａ，６ｄａ，６ｅａは、各側面３ｃ，３ｅ，３ｆと離間する。減衰部２０は、各側面３ｃ，３ｅ，３ｆ側に設けられ、各側面３ｃ，３ｅ，３ｆから出た光を減衰する。なお、減衰部２０は、上記した実施形態に係る減衰部２０ａ〜２０ｆのいずれでも適用可能である。
【００６９】
なお、図１０では、減衰部２０は、入光側面３ａ以外のすべての側面３ｃ，３ｅ，３ｆに設けられる場合を示したが、入光側面３ａ以外の３つの側面３ｃ，３ｅ，３ｆのうち、いずれか１つの側面３ｃ，３ｅ，３ｆであってもよく、いずれか２つの側面３ｃ，３ｅ，３ｆであってもよい。つまり、減衰部２０は、入光側面３ａ以外の少なくとも一の側面３ｃ，３ｅ，３ｆ側に設けられればよい。
【００７０】
上述したように、実施形態に係る面状照明装置１は、導光板３と、枠部材（フレーム６）と、減衰部２０ａ〜２０ｆとを備える。導光板３は、光取出面（出射面３ｂ）と、光取出面と交差する側面であって光源２からの光が入射する入光側面３ａとを有する。枠部材は、導光板３の入光側面３ａ以外の側面３ｃ，３ｅ，３ｆに沿って、側面３ｃ，３ｅ，３ｆと離間して設けられる。減衰部２０ａ〜２０ｆは、入光側面３ａ以外の少なくとも一の側面３ｃ，３ｅ，３ｆ側に設けられ、側面３ｃ，３ｅ，３ｆから出る光を減衰する。これにより、輝度が極端に高くなることを防止し、結果、輝線の発生が抑えられるため、輝度の均一性を高めることができる。
【００７１】
また、実施形態に係る面状照明装置１において、枠部材（フレーム６）は、入光側面３ａ以外の少なくとも一の側面３ｃ，３ｅ，３ｆに対向する側壁部６ａと、側壁部６ａにおける光取出面（出射面３ｂ）側の端部から、側壁部６ａと側壁部６ａに対向する導光板３の側面３ｃ，３ｅ，３ｆとの間まで延伸する延伸部（遮光部６ｃ）とを有し、減衰部２０ａ〜２０ｆは、入光側面３ａ以外の少なくとも一の側面３ｃ，３ｅ，３ｆと枠部材の側壁部６ａとの間に設けられる。これにより、遮光部６ｃと側面３ｃ，３ｅ，３ｆとの間から出射される光を減衰することができる。
【００７２】
また、実施形態に係る面状照明装置１において、減衰部２０ｂ〜２０ｆは、入光側面３ａ以外の少なくとも一の側面３ｃ，３ｅ，３ｆ側に設けられる光吸収部材である。これにより、側面３ｃ，３ｅ，３ｆから出た光を吸収することで、出射面３ｂ側であるＺ軸正方向側へ出射される光を減衰できるため、輝度の均一性を高めることができる。
【００７３】
また、実施形態に係る面状照明装置１において、枠部材は、導光板３の光取出面の裏面側に底壁部６ｂを有する。減衰部２０ｂは、枠部材の底壁部６ｂに設けられる。これにより、側面３ｃから出た光を吸収することで、出射面３ｂ側であるＺ軸正方向側へ出射される光を減衰できるため、輝度の均一性を高めることができる。
【００７４】
また、実施形態に係る面状照明装置１は、反射部４をさらに備える。反射部４は、光取出面の裏面に沿うとともに、入光側面３ａ以外の少なくとも一の側面３ｃ，３ｅ，３ｆから側面３ｃ，３ｅ，３ｆに対向する枠部材の側壁部６ａ側へ突出して設けられ、光を反射する。減衰部２０ｃは、反射部４の突出した部位に設けられる。これにより、側面３ｃから出た光を吸収することで、出射面３ｂ側であるＺ軸正方向側へ出射される光を減衰できるため、輝度の均一性を高めることができる。
【００７５】
また、実施形態に係る面状照明装置１において、減衰部２０は、入光側面３ａ以外の側面３ｃ，３ｅ，３ｆの少なくとも一部を覆うようにして設けられる。これにより、導光板３の側面３ｃから出る光を減らせるため、遮光部６ｃと側面３ｃの間から出射される光を減衰することができる。
【００７６】
また、実施形態に係る面状照明装置１は、反射部４をさらに備える。反射部４は、光取出面の裏面側かつ入光側面３ａ以外の少なくとも一の側面３ｃ，３ｅ，３ｆよりも内側に設けられ、光を導光板３側へ反射する。枠部材は、光取出面の裏面側に底壁部６ｂを有する。減衰部２０ａは、枠部材の底壁部６ｂのうち、反射部４と重ならない領域である。これにより、減衰部２０ａをフレーム６の一部として構成することで、新たな部材を追加することなく光を減衰することができるため、製品コストを抑えつつ、輝度の均一性を向上させることができる。
【００７７】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００７８】
１    面状照明装置
２    光源
３    導光板
３ａ  入光側面
３ｂ  出射面
３ｃ，３ｅ，３ｆ  側面
３ｄ  反対面
１０，６ｃ，６ｄ，６ｅ  遮光部
２０，２０ａ〜２０ｆ  減衰部
４    反射部
５ａ  拡散シート
５ｂ  プリズムシート
６    フレーム
【図１】
2018190691.tif 000003
【図２】
2018190691.tif 000004
【図３】
2018190691.tif 000005
【図４】
2018190691.tif 000006
【図５】
2018190691.tif 000007
【図６】
2018190691.tif 000008
【図７Ａ】
2018190691.tif 000009
【図７Ｂ】
2018190691.tif 000010
【図７Ｃ】
2018190691.tif 000011
【図８】
2018190691.tif 000012
【図９】
2018190691.tif 000013
【図１０】
2018190691.tif 000014
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
光取出面と、前記光取出面と交差する側面であって光源からの光が入射する入光側面とを有する導光板と、
前記導光板の前記入光側面以外の側面に沿うとともに、前記側面と離間して設けられる側壁部を有する枠部材と、
前記入光側面以外の少なくとも一の側面側に設けられ、当該側面から出る光を減衰する減衰部と
を備える面状照明装置。
【請求項２】
前記減衰部は、
前記入光側面以外の少なくとも一の側面と前記枠部材の前記側壁部との間に設けられる
請求項１に記載の面状照明装置。
【請求項３】
前記減衰部は、
前記入光側面以外の少なくとも一の側面側に設けられる光吸収部材である
請求項１または２に記載の面状照明装置。
【請求項４】
前記枠部材は、
前記導光板の前記光取出面の裏面側に底壁部を有し、
前記減衰部は、
前記枠部材の前記底壁部に設けられる
請求項３に記載の面状照明装置。
【請求項５】
前記光取出面の裏面に沿うとともに、前記入光側面以外の少なくとも一の側面から当該側面に対向する前記枠部材の側壁部側へ突出して設けられ、前記光を反射する反射部をさらに備え、
前記減衰部は、
前記反射部の突出した部位に設けられる
請求項３に記載の面状照明装置。
【請求項６】
前記減衰部は、
前記入光側面以外の少なくとも一の側面の少なくとも一部を覆うようにして設けられる
請求項３〜５のいずれか１つに記載の面状照明装置。
【請求項７】
前記光取出面の裏面側かつ前記入光側面以外の少なくとも一の側面よりも内側に設けられ、前記光を前記導光板側へ反射する反射部をさらに備え、
前記枠部材は、
前記光取出面の裏面側に底壁部を有し、
前記減衰部は、
前記枠部材の前記底壁部のうち、前記反射部と重ならない領域である
請求項１に記載の面状照明装置。
【請求項８】
前記導光板の前記光取出面側に設けられ、前記光取出面から出射される前記光を制御する光学シートをさらに備え、
前記減衰部は、
前記光学シートに設けられる
請求項１〜３のいずれか１つに記載の面状照明装置。
【請求項９】
前記減衰部は、
所定のパターンに形成される
請求項１〜８のいずれか１つに記載の面状照明装置。
【請求項１０】
前記枠部材は、
前記入光側面以外の少なくとも一の側面に対向する側壁部と、前記側壁部における前記光取出面側の端部から、前記側壁部と前記側壁部に対向する前記導光板の側面との間まで延伸する延伸部とを有する
請求項１〜９のいずれか１つに記載の面状照明装置。